(57)【要約】  移動通信システムで拡散信号を送信する方法であって、拡散率（Spreading Factor）を持つ複数の拡散符号を用いて信号を拡散し、該拡散信号を符号分割多重方式で多重化し、該多重化された信号を第１アンテナセットで１つのＯＦＤＭシンボル内の複数の隣接した周波数リソースを通じて送信し、同一の多重化された信号を第２アンテナセットで１つのＯＦＤＭシンボル内の複数の隣接した周波数リソースを通じて送信すること、を含む拡散信号送信方法を提供する。【選択図】図１
2010531091.tif 000002
【特許請求の範囲】
【請求項１】
移動通信システムにおいて拡散信号を送信する方法であって、
拡散率を有する複数の拡散符号を用いて信号を拡散することと、
前記拡散信号を符号分割多重方式で多重化することと、
前記多重化された信号を、第１アンテナセットで１つのＯＦＤＭシンボル内の複数の隣接した周波数リソースを通じて送信することと、
同一の多重化された信号を第２アンテナセットで１つのＯＦＤＭシンボル内の複数の隣接した周波数リソースを通じて送信することと、
を含む拡散信号送信方法。
【請求項２】
前記多重化された信号は、４個の隣接した周波数リソースを通じて送信されることを特徴とする、請求項１に記載の拡散信号送信方法。
【請求項３】
前記拡散率が４であることを特徴とする、請求項１に記載の拡散信号送信方法。
【請求項４】
前記拡散率が、前記隣接した周波数リソースの個数と同一であることを特徴とする、請求項１に記載の拡散信号送信方法。
【請求項５】
前記第１アンテナセットは、１つのＯＦＤＭシンボル内で隣接する周波数リソース対のそれぞれに対して空間周波数ブロックコードを適用することによって空間周波数ブロック符号化されることを特徴とする、請求項１に記載の拡散信号送信方法。
【請求項６】
前記第１アンテナセットは、２つのアンテナを含むことを特徴とする、請求項５に記載の拡散信号送信方法。
【請求項７】
前記第２アンテナセットは、１つのＯＦＤＭシンボル内で隣接する周波数リソース対のそれぞれに対して空間周波数ブロックコードを適用することによって空間周波数ブロック符号化されることを特徴とする、請求項１に記載の拡散信号送信方法。
【請求項８】
前記第２アンテナセットは、２つのアンテナを含むことを特徴とする、請求項７に記載の拡散信号送信方法。
【請求項９】
前記第１アンテナセットを通じて送信される多重化された信号と前記第２アンテナセットを通じて送信される多重化された信号は、それぞれ、互いに異なる周波数リソースを通じて送信されることを特徴とする、請求項１に記載の拡散信号送信方法。
【請求項１０】
前記第１アンテナセットを通じて送信される多重化された信号と前記第２アンテナセットを通じて送信される多重化された信号は、それぞれ、互いに異なるＯＦＤＭシンボルを通じて送信されることを特徴とする、請求項１に記載の拡散信号送信方法。
【請求項１１】
前記多重化された信号は、前記第１アンテナセットと前記第２アンテナセットを交互に用い、互いに独立した周波数リソースを通じて反復送信されることを特徴とする、請求項１に記載の拡散信号送信方法。
【請求項１２】
前記多重化された信号は、前記第１アンテナセットおよび前記第２アンテナセットを交互に用いて計３回送信されることを特徴とする、請求項１１に記載の拡散信号送信方法。
【請求項１３】
前記第１アンテナセットは、４個のアンテナのうち、第１アンテナおよび第２アンテナを含むことを特徴とする、請求項１に記載の拡散信号送信方法。
【請求項１４】
前記第２アンテナセットは、前記４個のアンテナのうち、第３アンテナおよび第４アンテナを含むことを特徴とする、請求項１３に記載の拡散信号送信方法。
【請求項１５】
前記第１アンテナセットは、４個のアンテナのうち、第１アンテナおよび第３アンテナを含むことを特徴とする、請求項１に記載の拡散信号送信方法。
【請求項１６】
前記第２アンテナセットは、前記４個のアンテナのうち、第２アンテナおよび第４アンテナを含むことを特徴とする、請求項１５に記載の拡散信号送信方法。
【発明の詳細な説明】
【技術分野】
【０００１】
本発明は、通信システムに係り、特に、通信システムにおける拡散信号の送信に関する。
【背景技術】
【０００２】
近年、情報通信サービスの普遍化と様々なマルチメディアサービスの登場、そして高品質サービスの出現などに伴って、無線通信サービスに対する需要が急速に増大しつつある。この需要に能動的に対処するためには第一に通信システムの容量を増大させなければならない。無線通信環境で通信容量を増大させるための方案としては、利用可能な周波数帯域を新しく見つける方法と、与えられたリソースの効率を高める方法が考えられる。
【０００３】
送受信機に複数のアンテナを装着し、リソース活用のための空間領域をさらに確保することによってダイバーシティ利得を得たり、または、それぞれのアンテナを通じてデータを並列に送信することによって伝送容量を高めたりする、いわゆるマルチアンテナ送受信技術が大きく注目を受け、活発に開発されつつある。
【０００４】
マルチアンテナ送受信技術の一例に、多入力多出力（Multiple Input Multiple Output；ＭＩＭＯ）を挙げることができる。ＭＩＭＯは、多重の入出力を有するアンテナシステムを指すもので、伝送アンテナごとに互いに異なる情報を送信し、情報の量を増加させることができ、空間時間符号化（Space-Time Coding；ＳＴＣ）、空間時間ブロック符号化（Space-Time Block Coding；ＳＴＢＣ）、周波数空間ブロック符号化（Space-Frequency Block Coding；ＳＦＢＣ）等の符号化手法を用いて伝送情報の信頼性を高めることができる。
【発明の概要】
【発明が解決しようとする課題】
【０００５】
本発明は、移動通信システムにおける拡散信号の送信に関するものである。
【０００６】
本発明の追加的な特徴および利点は、下記の詳細な説明で説明される。そして、その一部は、下記の詳細な説明から明らかになるか、または、本発明の実施から取得することができる。本発明の上記目的および他の利点は、添付の図面の他に、下記の詳細な説明および請求項を通じて詳細に指摘された構成により実現され、達成されるであろう。
【課題を解決するための手段】
【０００７】
これらの利点または他の利点を達成するために、そして本発明の目的によって、ここに具体化され、概略的に説明されるように、本発明は、移動通信システムで拡散信号を送信する方法を具現し、この方法は、拡散率（Spreading Factor）を持つ複数の拡散符号を用いて信号を拡散することと、該拡散信号を符号分割多重方式で多重化することと、該多重化された信号を、第１アンテナセットで一つのＯＦＤＭシンボル内の複数の隣接した周波数リソースを通じて送信することと、同一の多重化された信号を第２アンテナセットで一つのＯＦＤＭシンボル内の複数の隣接した周波数リソースを通じて送信することと、を含む拡散信号送信方法とした。
【０００８】
好ましくは、前記多重化された信号は、４個の隣接した周波数リソースを通じて送信される。好ましくは、前記拡散率は４である。他の例として、前記拡散率は、前記隣接した周波数リソースの個数と同一である。
【０００９】
本発明の一様態において、前記第１アンテナセットは、一つのＯＦＤＭシンボル内で隣接する周波数リソース対のそれぞれに対して空間周波数ブロックコードを適用することによって空間周波数ブロック符号化され、該第１アンテナセットは２つのアンテナを含む。また、前記第２アンテナセットは、一つのＯＦＤＭシンボル内で隣接する周波数リソース対のそれぞれに対して空間周波数ブロックコードを適用することによって空間周波数ブロック符号化され、該第２アンテナセットは、２つのアンテナを含む。
【００１０】
好ましくは、前記第１アンテナセットを通じて送信される多重化された信号および前記第２アンテナセットを通じて送信される多重化された信号は、それぞれ、異なる周波数リソースを通じて送信される。好ましくは、前記第１アンテナセットを通じて送信される多重化された信号および前記第２アンテナセットを通じて送信される多重化された信号は、それぞれ、異なるＯＦＤＭシンボルを通じて送信される。
【００１１】
本発明の他の様態において、前記多重化された信号は、前記第１アンテナセットおよび前記第２アンテナセットを交互に利用し、互いに独立した周波数リソースを通じて反復送信される。好ましくは、前記多重化された信号は、前記第１アンテナセットおよび前記第２アンテナセットを交互に用いて計３回送信される。
【００１２】
本発明の他の様態において、前記第１アンテナセットは、４個のアンテナのうち、第１アンテナおよび第２アンテナを含み、前記第２アンテナセットは、４個のアンテナのうち、第３アンテナおよび第４アンテナを含む。
【００１３】
本発明の他の様態において、前記第１アンテナセットは、４個のアンテナのうち、第１アンテナおよび第３アンテナを含み、前記第２アンテナセットは、４個のアンテナのうち、第２アンテナおよび第４アンテナを含む。
【００１４】
これまでの一般的な説明およびこれからの本発明の詳細な説明は、例示的で説明的であり、請求された本発明についてのさらなる説明を提供するために意図されたものである。
【発明の効果】
【００１５】
本明細書で開示する拡散信号送信方法によると、效率的に拡散された信号を送信することができる。そして、本明細書で開示する拡散信号送信方法によって送信された信号を、受信端でより高いデコーディング性能でデコーディングすることができる。
【００１６】
また、本明細書で開示する拡散信号送信方法によると、周波数ダイバーシティ、時間ダイバーシティ、空間ダイバーシティ効果を拡大することができる。また、本明細書で開示する拡散信号送信方法を通じて無線リソースをより效率的に利用することができる。
【図面の簡単な説明】
【００１７】
【図１】本発明の一実施例によって、通信システムにおいてＳＦＢＣ／ＦＳＴＤ手法を適用する方法の一例を示す図である。
【図２】本発明の一実施例によって、通信システムにおいて拡散信号にＳＦＢＣ／ＦＳＴＤ手法を適用する方法の一例を示す図である。
【図３】本発明の一実施例によって、通信システムにおいて拡散信号にＳＦＢＣ／ＦＳＴＤ手法を適用する方法の一例を示す図である。
【図４】本発明の一実施例によって、通信システムにおいて拡散信号にＳＦＢＣ／ＦＳＴＤ手法を適用する方法の他の例を示す図である。
【図５】本発明の一実施例によって、通信システムにおいて拡散信号にＳＦＢＣ／ＦＳＴＤ手法を適用する方法の一例を示す図である。
【図６】本発明の一実施例によって、通信システムにおいて拡散信号にＳＦＢＣ／ＦＳＴＤ手法を適用する方法の他の例を示す図である。
【図７】本発明の一実施例によって、拡散信号を複数のＯＦＤＭシンボルを通じて送信する方法の一例を示す図である。
【図８】本発明の一実施例によって、ＳＦＢＣ／ＦＳＴＤ手法が適用される拡散信号を複数のＯＦＤＭシンボルを通じて送信する方法の一例を示す図である。
【図９】本発明の一実施例によって、通信システムにおいて拡散信号にＳＦＢＣ／ＦＳＴＤ手法を適用する方法の一例を示す図である。
【図１０】本発明の一実施例によって、通信システムにおいて拡散信号にＳＦＢＣ／ＦＳＴＤ手法を適用する方法の他の例を示す図である。
【図１１】本発明の一実施例によって、通信システムにおいて拡散信号にＳＦＢＣ／ＦＳＴＤ手法を適用する方法の他の例を示す図である。
【図１２】本発明の一実施例によって、通信システムにおいて拡散信号にＳＦＢＣ／ＦＳＴＤ手法を適用する方法の他の例を示す図である。
【図１３】本発明の一実施例によって、通信システムにおいて一つまたは複数の拡散信号にＳＦＢＣ／ＦＳＴＤ手法を適用する方法の一例を示す図である。
【発明を実施するための形態】
【００１８】
本発明の理解をさらに提供するために含まれ、本明細書に含まれて本明細書の一部を構成する添付の図面が、発明の実施形態を図示し、詳細な説明と共に発明の原理を説明するために提供される。異なる図面で同一の参照符号で表される本発明の特徴、構成要素および様態は、一つまたは複数の実施形態による同一、等価または類似な特徴、構成要素または様態を表す。
【００１９】
本発明は、無線通信システムで拡散信号を送信することに関する。
【００２０】
以下、本発明に係る好適な実施形態を、添付の図面を参照しつつ詳細に説明する。添付の図面と共に以下に開示される詳細な説明は、本発明の例示的な実施形態を説明するためのもので、特許請求の範囲に記載された本発明をさらに説明するためのものであることを理解されたい。下記の詳細な説明は、本発明の完全な理解を助けるために具体的な細部事項を含む。しかし、当業者は、本発明がこの具体的な細部事項を伴わなくても実施可能であるということがわかる。例えば、下記の説明では所定の用語が主に使用されるが、これらの用語に限定されず、任意の用語で呼ばれる場合にも同一の意味を表すことができる。
【００２１】
場合によっては、本発明の概念が曖昧になるのを避けるために、公知の構造および／または装置を省略し、各構造および／または装置の核心機能を中心にしたブロック図および／またはフローチャートとして示すことがある。また、本明細書全体を通じて同一または同様の構成要素には同一の参照符号を付して説明する。
【００２２】
以下の実施例では、本発明の構成要素および特徴が所定の形態において結合されている。各構成要素または特徴は、別の明示がない限り、選択的なものとして考慮されなければならない。各構成要素または特徴は、他の構成要素や特徴と結合しない形態で実施されてもよく、一部構成要素および／または特徴を結合して本発明の実施例を構成してもよい。本発明の実施例で説明される動作の順序は変更可能である。ある実施例の一部構成や特徴は他の実施例に含まれてもよく、他の実施例の対応する構成または特徴に代替されてもよい。
【００２３】
本開示における本発明の実施例は、基地局と端末との間のデータの送受信関係を中心に説明される。ここで、基地局は、端末と直接通信を行うネットワークの終端ノード（terminal node）としての意味を有する。本開示において基地局により行われると説明される特定動作は、場合によっては基地局の上位ノード（upper node）により行われてもよい。すなわち、基地局を含む複数のネットワークノード（network nodes）からなるネットワークにおいて端末との通信のために行われる様々な動作は、基地局または基地局以外のネットワークノードにより行われてもよいということは自明である。‘基地局'は、固定局（fixed station）、ＮｏｄｅＢ、ｅＮｏｄｅＢ（ｅＮＢ）、アクセスポイント（access point）などの用語に置き換えることができる。また、‘端末'は、ユーザ装置（User Equipment；ＵＥ）、移動局（Mobile Station；ＭＳ）、移動加入者局（Mobile Subscriber Station；ＭＳＳ）などの用語に置き換えることができる。
【００２４】
図１は、本発明の一実施例によって、無線通信システムにおいてＳＦＢＣ／ＦＳＴＤ手法を適用する方法の一例を示す図である。図１では、通信システムのダウンリンクにおいて複数個、例えば、４個の送信アンテナを用いて４次送信アンテナダイバーシティを得ることができる方法で、２個の隣接する副搬送波を通じて送信される２つの変調信号には周波数空間ブロック符号化（Space Frequency Block Coding；ＳＦＢＣ）を適用し、２個のアンテナセットを含む第１アンテナセットを通じて送信し、ＳＦＢＣ符号化される２個の副搬送波セットに対しては周波数切り替え送信ダイバーシティ（Frequency Switching Transmit Diversity；ＦＳＴＤ）を適用し、互いに異なる２個のアンテナを含む２個のアンテナセットを通じて送信する方法を挙げることができる。その結果、送信アンテナダイバーシティの次数４を得ることができる。
【００２５】
図１で小さい四角形のそれぞれは、１つのアンテナで送信される１つの副搬送波を示す。“ａ”、“ｂ”、“ｃ”、“ｄ”は、それぞれ異なる信号に変調された変調シンボルを意味する。また、関数ｆ1(ｘ)、ｆ2(ｘ)、ｆ3(ｘ)およびｆ4(ｘ)のそれぞれは、２つの信号間に直交性を維持させるように適用される任意のＳＦＢＣ関数式を示し、下記の式（１）のように定義することができる。
【００２６】
f1(x) = x, f2(x) = x, f3(x) = -x*, f4(x) = x*      （１）
【００２７】
２つの信号間に直交性を維持させるように適用される任意のＳＦＢＣ関数式を用いて２つの信号を２つのアンテナを通じて同時に送信するにもかかわらず、受信端では、それら２つの信号をそれぞれ復号し、原信号を取得することができる。特に、図１では、任意の時間単位内にダウンリンクで送信されるＳＦＢＣおよびＦＳＴＤが反復される構造を示している。このようにＳＦＢＣとＦＳＴＤが反復して送信される構造を通じて、受信端で同一のＳＦＢＣ復号化およびＦＳＴＤ復号化を反復する簡単な受信アルゴリズムを適用でき、これにより、復号化の複雑さを減らし、復号化効率を高めることができる。
【００２８】
図１で、変調シンボルセット（ａ，ｂ）、（ｃ，ｄ）、（ｅ，ｆ）、（ｇ，ｈ）はそれぞれ、ＳＦＢＣ符号化されるセットとなる。図１では、ＳＦＢＣ／ＦＳＴＤが適用される副搬送波が連続したものとして示されているが、事実上、ＳＦＢＣ／ＦＳＴＤが適用される副搬送波が必ずしも周波数領域で連続する必要はない。例えば、パイロット（pilot）信号を搬送する副搬送波が、ＳＦＢＣ／ＦＳＴＤが適用される副搬送波の間に存在することもできる。しかし、ＳＦＢＣ符号化されるセットをなす２つの副搬送波を周波数領域において隣接させることによって、１つのアンテナが２つの副搬送波に対してカバーする無線チャネル環境を類似させることが好ましい。これによって、受信端でＳＦＢＣ復号化を行うときに両信号が互いに及ぼす干渉を最小化するという効果が得られる。
【００２９】
本発明の一実施例によれば、ＳＦＢＣ／ＦＳＴＤ手法を、拡散信号に適用することができる。ダウンリンク送信で１つの信号を（準）直交コードを通じて複数の副搬送波に拡散させ、拡散された複数の信号を符号分割多重（Code Division Multiplexing；ＣＤＭ）方式によって多重化して送信することができる。
【００３０】
例えば、互いに異なる信号“ａ”および“ｂ”を送信しようとするときに、両信号を拡散率（ＳＦ）２で拡散してＣＤＭ方式で送信するには、信号ａおよび信号ｂがそれぞれ、（ｃ11，ｃ21）および（ｃ12，ｃ22）の２つのチップ長の（準）直交拡散符号を用いてそれぞれ拡散信号列（ａ・ｃ11，ａ・ｃ21）および（ｂ・ｃ12、ｂ・ｃ22）に変換される。そして、この拡散信号列は、２つの副搬送波にそれぞれ変調シンボルａ・ｃ11＋ｂ・ｃ12とａ・ｃ21＋ｂ・ｃ22として加算されて変調される。すなわち、ａ・ｃ11＋ｂ・c12とａ・ｃ21＋ｂ・ｃ22がそれぞれ変調シンボルとなる。以下、本発明の実施例では、記述の便宜上、信号ａをＳＦ＝Ｎで拡散させた拡散信号列を、ａ1、ａ2，…，ａNと表現する。
【００３１】
図２は、本発明の一実施例によって、通信システムにおいて拡散信号にＳＦＢＣ／ＦＳＴＤ手法を適用する方法の一例を示す図である。複数の副搬送波にわたって拡散信号列を受信端で逆拡散して復号化するためには、上述したように、受信した拡散信号列の各チップが類似の無線チャネル応答を得るようにすることが好ましい。図２では、４個の互いに異なる信号ａ、ｂ、ｃ、ｄが、ＳＦ＝４で拡散され、この拡散信号は、図１で上述した４個の副搬送波を通じてＳＦＢＣ／ＦＳＴＤ方式で送信される。ＳＦＢＣ関数を式（１）で例示した関数とすれば、この場合の各副搬送波における受信信号は、下記の式（２）で示すことができる。
【００３２】
副搬送波１：h1(a1 + b1 + c1 + d1) - h2(a2 + b2 + c2 + d2)*
副搬送波２：h1(a2 + b2 + c2 + d2) + h2(a1 + b1 + c1 + d1)*
副搬送波３：h1(a3 + b3 + c3 + d3) - h2(a4+ b4 + c4 + d4)*
h3(a3 + b3 + c3 + d3) - h4(a4+ b4 + c4 + d4)*
副搬送波４：h1(a4+ b4 + c4 + d4) + h2(a3 + b3 + c3 + d3)*
h3(a4+ b4 + c4 + d4) + h4(a3 + b3 + c3 + d3)*      （２）
【００３３】
式（２）で、ｈiは、ｉ番目のアンテナが受けるフェージングを表し、同一アンテナの副搬送波はいずれも同一のフェージングを受けると仮定する。受信端に加えられる雑音成分は無視する。好ましくは、受信アンテナは１個とした。この場合、ＳＦＢＣ復号化およびＦＳＴＤ復号化の完了後に受信端で取得する拡散信号列は、下記の式（３）で示すことができる。
【００３４】
(|h1|2 + |h2|2)・(a1 + b1 + c1 + d1)
(|h1|2 + |h2|2)・(a2 + b2 + c2 + d2)
(|h3|2 + |h4|2)・(a3 + b3 + c3 + d3)
(|h3|2 + |h4|2)・(a4+ b4 + c4 + d4)      （３）
【００３５】
ここで、受信端で得た拡散信号列を、例えば信号ａに該当する（準）直交コードで逆拡散することによって信号ｂ、ｃ、ｄから分離するためには、これら４チップに対する無線チャネル応答が同一でなければならない。しかし、式（３）で示すように、互いに異なるアンテナセットを通じてＦＳＴＤ方式で送信された信号は(|h1|2 + |h2|2)および(|h3|2 + |h4|2)であって、互いに異なる無線チャネル応答を得た結果となり、よって、逆拡散時にＣＤＭ多重化された異なる信号を完全に除去することができなくなる。
【００３６】
したがって、本発明では、通信システムで拡散信号を送信する方法において、所定の拡散率（SF: Spreading Factor）で一つまたは複数の信号をそれぞれ（準）直交コードなどで拡散し、この拡散された一つまたは複数の信号を符号分割多重方式で多重化して送信するとき、この多重化された信号は同一のアンテナセットを通じて送信する方法を提案する。図３は、本発明の一実施例によって、通信システムにおいて拡散信号に対してＳＦＢＣ／ＦＳＴＤ手法を適用する方法の一例を示す図である。本実施例では、ＳＦ＝４で一つまたは複数の信号をそれぞれ（準）直交コードなどで拡散し、この拡散された一つまたは複数の信号を符号分割多重方式で多重化して送信するとき、この多重化された信号は同一のアンテナセットを通じて送信する方法を提供する。
【００３７】
図３では、計４個の送信アンテナを用いる場合、第１アンテナセットには第１アンテナおよび第２アンテナが含まれ、第２アンテナセットには第３アンテナおよび第４アンテナが含まれる例を示す。すなわち、第１アンテナセットおよび第２アンテナセットはそれぞれ、ＳＦＢＣ符号化が行われるアンテナセットで、両アンテナセットの間にＦＳＴＤ方式が適用されてもよい。この場合、本実施例によって、送信しようとするデータが１つのＯＦＤＭシンボルで送信されるとすると、図３に示すように、ＳＦ＝４で拡散される信号は、ＳＦＢＣ符号化される同一アンテナセットを通じて１つのＯＦＤＭシンボルの隣接した４個の副搬送波を通じて送信することができる。
【００３８】
特に、図３の（ａ）は、第１アンテナセットを通じて送信される拡散信号と第２アンテナセットを通じて送信される拡散信号とが互いに異なる場合を示す。そして、図３の（ｂ）は、第１アンテナセットを通じて送信される拡散信号が第２アンテナセットを通じて反復送信され、４次送信アンテナダイバーシティ利得を取得できる場合を示す。
【００３９】
図４は、本発明の一実施例によって、通信システムにおいて拡散信号にＳＦＢＣ／ＦＳＴＤ手法を適用する方法の他の例を示す図である。本実施例では、図３の実施例と同様に、ＳＦ＝４で一つまたは複数の信号をそれぞれ（準）直交コードなどで拡散し、この拡散された一つまたは複数または複数の信号を符号分割多重方式で多重化して送信するとき、この多重化された信号を同一のアンテナセットを通じて送信する方法を提供する。
【００４０】
図４では、図３と違い、計４個の送信アンテナを利用する場合、第１アンテナセットには第１アンテナおよび第３アンテナが含まれ、第２アンテナセットには第２アンテナおよび第４アンテナが含まれる例を示す。すなわち、図４は、図３と比較すると、各アンテナセットを構成する方法が異なるだけで、ＳＦＢＣ／ＦＳＴＤ方式を適用する方法は同一である。すなわち、この場合も、本実施例によって、ＳＦ＝４で拡散される信号を、ＳＦＢＣ符号化される同一のアンテナセットを通じて１つのＯＦＤＭシンボルの隣接した４個の副搬送波を通じて送信することができる。
【００４１】
特に、図４の（ａ）は、第１アンテナセットを通じて送信される拡散信号と第２アンテナセットを通じて送信される拡散信号が互いに異なる場合を示す。そして、図４の（ｂ）は、第１アンテナセットを通じて送信される拡散信号が、第２アンテナセットを通じて反復送信され、４次送信アンテナダイバーシティ利得を取得できる場合を示す。
【００４２】
図５は、本発明の実施例によって、通信システムにおいて拡散信号にＳＦＢＣ／ＦＳＴＤ手法を適用する方法の一例を示す図である。好ましくは、同一信号が追加のダイバーシティを得るために反復して送信されてもよい。したがって、本実施例では、同一信号が、周波数軸で、すなわち、同一時間単位の間に互いに異なる副搬送波を通じて２回以上反復して送信される場合を示す。
【００４３】
本実施例においてアンテナセットは次のように決定される。信号がＳＦ＝４で拡散された後、上述した実施例によって拡散信号が同一アンテナセットを通じて送信されるように、４個の副搬送波単位でアンテナセットを決定する。この場合、上述したように、４次送信アンテナダイバーシティを取得できるＳＦＢＣ／ＦＳＴＤ方式を適用するための反復送信時には、アンテナセットを変更して反復送信する。この実施例によれば、４次送信アンテナダイバーシティ利得を取得できるＳＦＢＣ／ＦＳＴＤ手法が適用されるアンテナ−周波数マッピング構造が、８個の副搬送波単位で反復されてもよい。
【００４４】
図５の（ａ）は、図３で説明した実施例に対して反復送信方法を適用した例を示す図である。そして、図５の（ｂ）は、図４で説明した実施例に対して反復送信方法を適用した例を示す図である。特に、図５の（ａ）および（ｂ）は、隣接した８個の副搬送波を用いて４次送信アンテナダイバーシティ利得を取得できるＳＦＢＣ／ＦＳＴＤ手法を適用した例を示す。図５の（ａ）および（ｂ）はそれぞれ、第１アンテナセットと第２アンテナセットを構成するアンテナが異なる以外は、本実施例の適用においては同じ方法を用いる。
【００４５】
本発明によれば、信号がＳＦ＝４による拡散後にＣＤＭ多重化され、４個の副搬送波を通じて送信されることが１回送信に該当する。したがって、図５の（ａ）および（ｂ）に示すように、１回送信時に第１アンテナセットを通じて送信したとすれば、１回反復送信である２回送信時には第２アンテナセットを通じて送信することができる。これらの１回送信および２回送信を通じてＳＦＢＣ／ＦＳＴＤ手法が具現されると見なすことができる。そして、３回送信時には、同一の方法で、再び第１アンテナセットを通じて送信すればいい。
【００４６】
図６は、本発明の一実施例によって、通信システムにおいて拡散信号にＳＦＢＣ／ＦＳＴＤ手法を適用する方法の他の例を示す図である。本実施例でも、図５の実施例と同様に、信号がＳＦ＝４で拡散された後、上述した実施例によって拡散信号が同一アンテナセットを通じて送信されるように４個の副搬送波単位でアンテナセットを決定する。この場合も、上述したように、４次送信アンテナダイバーシティを取得できるＳＦＢＣ／ＦＳＴＤ方式を適用するための反復送信時には、アンテナセットを変更して反復送信する。
【００４７】
しかしながら、図５の実施例では隣接した８個の副搬送波を通じてＳＦＢＣ／ＦＳＴＤ方式を適用したこととは違い、図６の実施例では、反復送信時に使用される副搬送波が、前の送信時と比較してある程度間隔を持つ副搬送波を使用するという点が異なる。これにより、４次アンテナダイバーシティに加えて、周波数ダイバーシティも取得することができる。ただし、この場合にも、拡散信号列が多重化されて送信される副搬送波は、互いに隣接した副搬送波とすることが好ましい。
【００４８】
これについて説明すると、次の通りである。まず、図５の実施例でＳＦＢＣ／ＦＳＴＤ方式が適用される８個の副搬送波のうちの４個の副搬送波のみを使って第１アンテナセットを通じて１回送信を行い、その後、ＳＦＢＣ／ＦＳＴＤ方式が適用される８個の副搬送波のうちの４個の副搬送波を使って第２アンテナセットを通じて１回送信を行う。したがって、４次送信アンテナダイバーシティを取得できるＳＦＢＣ／ＦＳＴＤ方式を具現するために、前の送信とは異なるアンテナセットが使用される。
【００４９】
図６の（ａ）は、図３で説明した実施例に反復送信方法を適用した例を示す図である。そして、図６の（ｂ）は、図４で説明した実施例に反復送信方法を適用した例を示す図である。本実施例において、図６の（ａ）および（ｂ）はそれぞれ、第１アンテナセットと第２アンテナセットを構成するアンテナが異なる以外は、本実施例の適用において同一の方法を用いる。
【００５０】
図６を参照すると、図５で上述した方法と比較して、図６の実施例は、反復により追加使用するリソースを半分に減らし、反復送信にかかるリソースを大幅に節約することができる。したがって、図６に示す反復送信方法を適用すると、データ送信に使用されるリソースをより效率的に用いることができる。
【００５１】
以上では１つの時間単位に対して本発明の実施例によってＳＦＢＣ／ＦＳＴＤ方式を適用する方法を説明した。どころが、信号を複数の時間単位を用いて送信する場合も考慮することができる。以下、直交周波数分割多重方式を適用する通信システムにおいて、好ましくは１つのＯＦＤＭシンボルが１つの時間単位となると定義し、複数のＯＦＤＭシンボルを用いて信号を送信する場合にＳＦＢＣ／ＦＳＴＤ手法を適用する方法について説明する。
【００５２】
複数のＯＦＤＭシンボルを通じて送信される場合には、送信アンテナダイバーシティの他に追加のダイバーシティを得るために、周波数軸だけでなく、時間軸で反復送信することも可能である。特に、以下では、アップリンクで送信されるデータに対して受信成功有無を知らせるためにダウンリンクで送信されるＡＣＫ／ＮＡＫ信号に、以上説明した拡散信号に対するＣＤＭ多重化およびＳＦＢＣ／ＦＳＴＤ方式を適用する場合について説明する。
【００５３】
図７は、本発明の一実施例によって、拡散信号を複数のＯＦＤＭシンボルを通じて送信する方法の一例を示す図である。図７で、各小さい四角形は、１つのＯＦＤＭシンボルと１つの副搬送波とからなるリソースエレメント（Resource Element；ＲＥ）を表す。そして、Ａijは、ＣＤＭ方式で多重化されたＡＣＫ／ＮＡＫ信号を表し、“ｉ”は、拡散された後に多重化された信号のインデックスを、“ｊ”は、このように多重化されたＡＣＫ／ＮＡＫ信号のＡＣＫ／ＮＡＫチャネルインデックスを表す。ここで、ＡＣＫ／ＮＡＫチャネルは、多重化されたＡＣＫ／ＮＡＫ信号の集合を表し、各システムの必要性およびリソース状況によって複数のＡＣＫ／ＮＡＫチャネルの存在が可能である。同図では、説明の便宜のために、１つのＡＣＫ／ＮＡＫチャネルが存在するとした。
【００５４】
まず、図７の（ａ）は、一個のＯＦＤＭシンボルを通じて多重化されたＡＣＫ／ＮＡＫ信号を送信する例を示す図である。図７の（ａ）によれば、一個のＯＦＤＭシンボルに４個のＡＣＫ／ＮＡＫ信号が拡散率ＳＦ＝４で拡散されてＣＤＭ方式で多重化された後、隣接した４個の副搬送波で送信される場合を示す。ＡＣＫ／ＮＡＫ信号送信のために１つのＯＦＤＭシンボルのみが使用されたため、ＡＣＫ／ＮＡＫ信号送信に対して時間軸上のダイバーシティ利得を得ることはできないが、周波数軸上のダイバーシティ利得を得る目的として、図７の（ａ）に示すように、ＣＤＭ方式で多重化されたＡＣＫ／ＮＡＫ信号を周波数軸で４回反復送信することができる。ここで、４回反復したことは、ダイバーシティを得るために反復させた１つの例であり、反復回数は、チャネル状況およびシステムのリソース状況に応じて変わることは当然である。
【００５５】
図７の（ｂ）は、複数のＯＦＤＭシンボルを通じて多重化されたＡＣＫ／ＮＡＫ信号を送信する例を示す図である。図７の（ｂ）によれば、２つのＯＦＤＭシンボルのそれぞれに、４個のＡＣＫ／ＮＡＫ信号が拡散率ＳＦ＝４で拡散され、ＣＤＭ方式で多重化された後、隣接した４個の副搬送波で送信されてもよい。すなわち、ＡＣＫ／ＮＡＫ信号送信のためのＯＦＤＭシンボルが増加する場合、１つのＯＦＤＭシンボルのみ使用された場合のＡＣＫ／ＮＡＫ信号はそのままで、増加したＯＦＤＭシンボルを使用して反復して送信することができる。ただし、２番目のＯＦＤＭシンボルで反復して送信するときは、最初のＯＦＤＭシンボルで使われた副搬送波とは可能な限り重複しない副搬送波を用いて送信することが、周波数ダイバーシティ効果の面で好ましい。
【００５６】
図７の（ｂ）では、ＯＦＤＭシンボル個数が増加しても、送信できるＡＣＫ／ＮＡＫ信号の個数は、一個のＯＦＤＭシンボルを使用したときと同じ場合を示している。本実施例によって、既存の一個のＯＦＤＭシンボルのみを使用した場合では周波数軸でのみ反復させたＡＣＫ／ＮＡＫ信号を、より多いＯＦＤＭシンボルの使用によって事実上時間−周波数の反復回数を増加させ、同一個数のＡＣＫ／ＮＡＫ信号送信のためにより多い時間−周波数リソースを用いて送信することができる。この場合、ＡＣＫ／ＮＡＫ送信に使われるＯＦＤＭシンボルが増加したため、ＡＣＫ／ＮＡＫ送信に使われる信号のパワーもより多く割り当てることができ、よって、より広い領域のセルにＡＣＫ／ＮＡＫ信号を送信することができる。
【００５７】
図７の（ｃ）は、複数のＯＦＤＭシンボルを通じて、多重化されたＡＣＫ／ＮＡＫ信号を送信する他の例を示す図である。図７の（ｃ）によれば、ＡＣＫ／ＮＡＫ信号送信のためのＯＦＤＭシンボルの個数が２つと増加した場合に、ＣＤＭ方式で多重化されたＡＣＫ／ＮＡＫ信号の周波数軸上の反復回数を減らして送信することができる。このようにＯＦＤＭシンボルの個数が２つと増加した場合に反復回数を減らして送信を容易にすることによって、より効率的にリソースを活用することができる。
【００５８】
図７の（ｃ）では、図７の（ｂ）の送信方法と比較して、ＡＣＫ／ＮＡＫ信号が周波数軸上４回反復から２回反復へと減った。しかし、ＡＣＫ／ＮＡＫ信号送信のために使われるＯＦＤＭシンボルの個数は増加したため、図７の（ａ）で１個のＯＦＤＭシンボルを使用する場合と比較すると、４個の時間−周波数リソース領域を使用できるという点が同様である。
【００５９】
図７の（ｂ）の場合に比べて、図７の（ｃ）の場合は、１つのＡＣＫ／ＮＡＫチャネル送信のために使われた時間−周波数リソース領域の個数が減ったから、ＡＣＫ／ＮＡＫチャネル送信のための信号パワーはより少ないが、ＡＣＫ／ＮＡＫチャネルが時間−周波数領域にわたって送信されるから、１個のＯＦＤＭシンボルでのみ送信される場合に比べて、より効率的な１シンボルあたり送信電力の割り当てが可能になる。
【００６０】
また、システム上でスケジューリング処理の単純化を図るために、全てのＯＦＤＭシンボルに同じ構造でＡＣＫ／ＮＡＫ信号を反復して送信する場合、すなわち、図７の（ｂ）に示す例の時間−周波数リソースを使用するとすれば、互いに異なるＡＣＫ／ＮＡＫチャネルを送信することができる。すなわち、２倍のＡＣＫ／ＮＡＫチャネルを送信できるので、より効率的なリソース使用が可能となる。
【００６１】
図７で説明した複数のＡＣＫ／ＮＡＫ信号の多重化のための拡散率および時間周波数領域における反復回数、ＡＣＫ／ＮＡＫ信号送信のためのＯＦＤＭシンボルの個数は、本発明のより正確な説明のための一例に過ぎず、異なる拡散率、反復回数、および様々なＯＦＤＭシンボル個数を本発明に適用可能であることは当然である。なお、図７の実施例では、送信アンテナダイバーシティを用いない１個の送信アンテナを使用する場合についてのみ示したが、これに限定されず、２個の送信アンテナダイバーシティ方法および４個の送信アンテナダイバーシティ方法を用いる場合にも適用可能である。
【００６２】
図８は、本発明の一実施例によって、ＳＦＢＣ／ＦＳＴＤ手法が適用される拡散信号を、複数のＯＦＤＭシンボルを通じて送信する方法の一例を示す図である。図８では、計４個の送信アンテナを用いて４次送信アンテナダイバーシティ効果を得る実施例について説明する。ただし、この場合も、説明の便宜のために、１つのＡＣＫ／ＮＡＫチャネルが存在するとして説明する。
【００６３】
図８の（ａ）には、４個の送信アンテナを用いて拡散信号にＳＦＢＣ／ＦＳＴＤ手法を適用し、該信号を複数のＯＦＤＭシンボルを通じて送信する方法を示す。図８の（ａ）によれば、２つのＯＦＤＭシンボルのそれぞれに４個のＡＣＫ／ＮＡＫ信号が拡散率ＳＦ＝４で拡散され、ＣＤＭ方式で多重化された後、隣接した４個の副搬送波で送信されてもよい。すなわち、ＡＣＫ／ＮＡＫ信号送信のためのＯＦＤＭシンボルが増加する場合、１つのＯＦＤＭシンボルのみ使用された場合のＡＣＫ／ＮＡＫ信号をそのまま、増加したＯＦＤＭシンボルを使用して反復して送信することができる。これは、図７の（ｂ）で説明した通りである。
【００６４】
ただし、本実施例によって２番目のＯＦＤＭシンボルについて反復して送信するときは、最初のＯＦＤＭシンボルで使われたアンテナセットと異なるアンテナセットを使用して送信する。すなわち、例えば、最初のＯＦＤＭシンボルで送信するとき、第１アンテナと第３アンテナとを含んでなる第１アンテナセットを用いて送信したとすれば、２番目のＯＦＤＭシンボルで送信するときは、第２アンテナと第４アンテナとを含んでなる第２アンテナセットを用いて送信することができる。この場合にも、最初のＯＦＤＭシンボルで送信される副搬送波とは可能な限り重複しない副搬送波を用いて送信することが、周波数ダイバーシティ効果の面で好ましい。
【００６５】
図８の（ｂ）は、４個の送信アンテナを用いて拡散信号に対してＳＦＢＣ／ＦＳＴＤ手法を適用するもので、複数のＯＦＤＭシンボルを通じて送信する他の例を示す図である。図８の（ｂ）によれば、ＡＣＫ／ＮＡＫ信号送信のためのＯＦＤＭシンボルの個数が２つと増加した場合に、ＣＤＭ方式で多重化されたＡＣＫ／ＮＡＫ信号の周波数軸の反復回数を減らして送信することができる。これは、図７の（ｃ）を通じて説明した通りである。しかし、本実施例によって２番目のＯＦＤＭシンボルを通じて反復して送信するときは、最初のＯＦＤＭシンボルで使われたアンテナセットと異なるアンテナセットを使用して送信する。
【００６６】
図９は、本発明の一実施例によって、通信システムにおいて拡散信号にＳＦＢＣ／ＦＳＴＤ手法を適用する方法の一例を示す図である。図９を参照すると、計４個の送信アンテナを利用する場合、第１アンテナセットには第１アンテナと第２アンテナとが含まれ、第２アンテナセットには第３アンテナと第４アンテナとが含まれる。好ましくは、第１アンテナセットと第２アンテナセットはそれぞれ、ＳＦＢＣ符号化が行われるアンテナセットであり、両アンテナセットの間にＦＳＴＤ方式が適用されてもよい。本実施例によると、送信しようとするデータが１つのＯＦＤＭシンボルで送信されるとすれば、図９に示すように、ＳＦ＝２で拡散される信号は、ＳＦＢＣ符号化される同一のアンテナセットを通じて１つのＯＦＤＭシンボルの隣接した２個の副搬送波を通じて送信することができる。
【００６７】
特に、図９の（ａ）は、第１アンテナセットを通じて送信される拡散信号と第２アンテナセットを通じて送信される拡散信号とが互いに異なる場合を示す。そして、図９の（ｂ）は、第１アンテナセットを通じて送信される拡散信号が第２アンテナセットを通じて反復送信され、４次送信アンテナダイバーシティ利得を取得できる場合を示す。
【００６８】
したがって、図９のように、１つの信号をＳＦ＝２で拡散することによって、ＣＤＭ多重化される信号に対しても図１における拡散を考慮せずに、４個の副搬送波単位でＳＦＢＣ／ＦＳＴＤを適用するときと同じ構造を使用することができる。
【００６９】
図１０は、本発明の一実施例によって、通信システムにおいて拡散信号にＳＦＢＣ／ＦＳＴＤ手法を適用する方法の他の例を示す図である。本実施例では、図９の実施例と同様に、ＳＦ＝２で一つまたは複数の信号のそれぞれを（準）直交コードなどで拡散し、この拡散された一つまたは複数の信号を符号分割多重方式で多重化して送信し、この場合、この多重化された信号は、同一のアンテナセットを通じて送信する方法を提供する。
【００７０】
図１０では、図９とは違い、計４個の送信アンテナを利用する場合、第１アンテナセットには第１アンテナと第３アンテナとが含まれ、第２アンテナセットには第２アンテナと第４アンテナとが含まれる例を示す。しだかって、図１０は、図９と比較して、各アンテナセットを構成する方法のみが異なり、ＳＦＢＣ／ＦＳＴＤ方式を適用する方法は同一とする場合を示す。本実施例によれば、ＳＦ＝２で拡散される信号は、ＳＦＢＣ符号化される同一のアンテナセットを通じて１つのＯＦＤＭシンボルの隣接した２個の副搬送波を通じて送信することができる。
【００７１】
特に、図１０の（ａ）は、第１アンテナセットを通じて送信される拡散信号と第２アンテナセットを通じて送信される拡散信号とが異なる場合を示す。そして、図１０の（ｂ）は、第１アンテナセットを通じて送信される拡散信号が第２アンテナセットを通じて反復送信され、４次送信アンテナダイバーシティ利得を取得できる場合を示す。
【００７２】
したがって、図１０では、信号をＳＦ＝２で拡散することによって、ＣＤＭ多重化される信号に対しても、図１のように拡散を考慮せずに、４個の副搬送波単位でＳＦＢＣ／ＦＳＴＤを適用するときと同じ構造を使用することができる。
【００７３】
図１１は、本発明の実施例によって、通信システムで拡散信号に対してＳＦＢＣ／ＦＳＴＤ手法を適用する方法の他の例を示す図である。同一信号が追加のダイバーシティを得るために反復して送信されてもよく、特に、本実施例では、周波数軸で、すなわち、同一時間単位の間に互いに異なる副搬送波を通じて１回または複数回反復送信される場合を示す。
【００７４】
本実施例では、信号がＳＦ＝２で拡散され、拡散された複数の信号が多重化された後、同一のアンテナセットを通じて送信されるように、２個の副搬送波単位でアンテナセットを決定する。この場合、４次送信アンテナダイバーシティを取得できるＳＦＢＣ／ＦＳＴＤ方式を適用するための反復送信時には、アンテナセットを変更して反復送信する。したがって、４次送信アンテナダイバーシティ利得を取得できるＳＦＢＣ／ＦＳＴＤ手法が適用されるアンテナ−周波数マッピング構造が、４個の副搬送波単位で反復される。
【００７５】
図１１の（ａ）は、図９で説明した実施例に反復送信方法を適用した例を示す図である。そして、図１１の（ｂ）は、図１０で説明した実施例に反復送信方法を適用した例を示す図である。特に、図１１の（ａ）および（ｂ）は、隣接した４個の副搬送波を用いてＳＦＢＣ／ＦＳＴＤ手法を適用した例を示す。図１１の（ａ）および（ｂ）はそれぞれ、第１アンテナセットと第２アンテナセットを構成するアンテナのみが異なり、本実施例の適用においては同一方法を用いる。
【００７６】
図１２は、本発明の実施例によって、通信システムで拡散信号にＳＦＢＣ／ＦＳＴＤ手法を適用する方法の他の例を示す図である。図１２においても、図１１の実施例と同様に、ＳＦ＝２で拡散された複数の信号が多重化された後、上記の実施例によって多重化された信号が同一のアンテナセットを通じて送信されるように、２個の副搬送波単位でアンテナセットを決定する。この場合にも、４次送信アンテナダイバーシティを取得できるＳＦＢＣ／ＦＳＴＤ方式を適用するための反復送信時には、アンテナセットを変更して反復送信する。
【００７７】
しかしながら、図１１の実施例では隣接した４個の副搬送波を通じてＳＦＢＣ／ＦＳＴＤ方式を適用したことと違い、本実施例では、反復送信時に使用される副搬送波は、前の送信時と比較してある程度間隔を持つ副搬送波を使用するという点が異なる。ただし、この場合も、拡散信号列が多重化されて送信される副搬送波は、互いに隣接した副搬送波からなることが好ましい。
【００７８】
図１２の（ａ）は、図９で説明した実施例に反復送信方法を適用した例を示す図である。そして、図１２の（ｂ）は、図１０で説明した実施例に反復送信方法を適用した例を示す図である。図１２の（ａ）および（ｂ）もそれぞれ、第１アンテナセットと第２アンテナセットを構成するアンテナのみが異なるだけで、本実施例の適用においては同一の方法を用いる。
【００７９】
したがって、図１２の実施例は、ＳＦＢＣ／ＦＳＴＤ方式を適用する４個の副搬送波のうち２個の副搬送波のみを使用して１回送信のみを行い、その後、ＳＦＢＣ／ＦＳＴＤ方式を適用する４個の副搬送波に対しても２個の副搬送波のみを使用して１回送信のみを行うが、このとき、ＳＦＢＣ／ＦＳＴＤ方式を具現するために、前の送信とは異なるアンテナセットを使用する。
【００８０】
図１３は、本発明の一実施例によって、通信システムにおいて一つまたは複数の拡散信号にＳＦＢＣ／ＦＳＴＤ手法を適用する方法の一例を示す図である。システム上でＯＦＤＭシンボルごとにまたはサブフレームごとに一括して図１のＳＦＢＣ／ＦＳＴＤ送信方式によるアンテナ−周波数マッピング構造を維持させる場合は、図１２で使用されないＳＦＢＣ／ＦＳＴＤ方式における残りのＳＦＢＣのアンテナセットを、他のデータの送信のために使用することができる。
【００８１】
図１３を参照すると、図１で説明した４個の副搬送波単位で４次送信アンテナダイバーシティ利得が得られるＳＦＢＣ／ＦＳＴＤ送信方式におけるアンテナ−周波数マッピング構造と同じ構造を使用し、この構造により、２個の互いに異なる多重化された信号を送信することができる。この場合、各多重化された信号はＳＦ＝２で拡散されて多重化された信号であり、２個の副搬送波を通じて送信されてもよい。
【００８２】
すなわち、拡散された複数のデータ信号が多重化された信号である任意の多重化された信号を送信するためのＳＦＢＣ／ＦＳＴＤ送信方式の適用において、ＳＦＢＣ符号化される第１アンテナセットの他に第２アンテナセットは他の多重化された信号を送信するために使用されてもよい。そして、第１アンテナセットと第２アンテナセットで送信される多重化された信号を反復して送信するときには、それぞれ異なるアンテナセットを通じて送信させることによって、４次送信アンテナダイバーシティ効果を取得することができる。
【００８３】
例えば、第１アンテナセットを通じて第１多重化された信号を送信し、第２アンテナセットを通じて第２多重化された信号を送信するとしたら、反復送信時には、多重化された信号およびアンテナ間のマッピングを変更することによって、第１アンテナセットでは第２多重化された信号を送信し、第２アンテナセットでは第１多重化された信号を送信することができる。その次の反復時には、再び多重化された信号およびアンテナ間のマッピングを変更し、該当の送信を行うことができる。よって、第１多重化された信号は再び第１アンテナセットを通じて送信され、第２多重化された信号は再び第２アンテナセットを通じ送信されてもよい。この方式で送信する場合、効率的にリソースを使用すると同時に、図１で説明したＳＦＢＣ／ＦＳＴＤ方式におけるアンテナ−周波数マッピング構造を維持することができる。
【００８４】
上記の例では、ＳＦ＝２で拡散信号が１つのＯＦＤＭシンボルを通じてのみ送信される場合を取り上げた。その場合は、追加の周波数ダイバーシティを得るためには周波数軸上でのみ反復が可能だった。しかし、１つのＯＦＤＭシンボルを使用する例は、本発明を説明するための一例に過ぎず、拡散率ＳＦ＝４の場合で説明した通り、本実施例は、複数のＯＦＤＭシンボルを使用する場合にも適用可能である。
【００８５】
複数のＯＦＤＭシンボルを通じた送信時には、送信アンテナダイバーシティの他に追加のダイバーシティを得るために周波数軸だけでない時間軸上への反復も適用可能である。以上の実施例は、本発明の適用を説明するためのもので、ＳＦＢＣ／ＦＳＴＤ送信ダイバーシティ方法を使用するシステムで、様々な拡散率（ＳＦ）、様々なＯＦＤＭシンボル個数ならびに時間および周波数軸上での反復回数に関らずに適用可能である。
【００８６】
本発明の実施例は、様々な手段、例えば、ハードウェア、ファームウェア（firmware）、ソフトウェアまたはこれらの結合などにより具現することができる。ハードウェアによる具現の場合、本発明の一実施例による通信システムで拡散信号を送信する方法は、一つまたは複数の特定用途向け集積回路（Application Specific Integrated Circuit；ＡＳＩＣ）、デジタル信号プロセッサ（Digital Signal Processor；ＤＳＰ）、デジタル信号処理装置（Digital Signal Processing Device；ＤＳＰＤ）、プログラマブルロジックデバイス（Programmable Logic Device；ＰＬＤ）、フィールドプログラマブルゲートアレイ（Field Programmable Gate Array；ＦＰＧＡ）、プロセッサ、コントローラ、マイクロコントローラ、マイクロ・プロセッサなどにより具現されてもよい。
【００８７】
ファームウェアやソフトウェアによる具現の場合、本発明の一実施例による通信システムで拡散信号を送信する方法は、以上で説明した機能または動作を行うモジュール、手順、関数などの形態で具現されてもよい。ソフトウェアコードは、メモリユニットに記憶されてプロセッサにより駆動されてもよい。このメモリユニットは、上記プロセッサの内部または外部に設けられ、既に公知の様々な手段により当該プロセッサとデータを交換することができる。
【００８８】
上記の実施例および利点は単に説明のためのもので、本発明を制限するものとして解釈されてはならない。本発明の教示は、他のタイプの装置にも容易に適用することができる。したがって、上記の詳細な説明はいずれの面においても請求項の範囲を制限するものとして解釈されてはならず、例示的なものとして考慮されなければならない。様々な代替物、変更物、変形物が当業者には自明である。請求項で、手段および機能（means-plus-function）による語句の範囲は、引用された機能を実行するために記述された構造を含み、構造的等価だけでなく等価の構造も含む。
【産業上の利用可能性】
【００８９】
本発明は、多重搬送波を用いる移動通信システムに適用することができる。
【図１】
2010531091.tif 000003
【図２】
2010531091.tif 000004
【図３】
2010531091.tif 000005
【図４】
2010531091.tif 000006
【図５（ａ）】
2010531091.tif 000007
【図５（ｂ）】
2010531091.tif 000008
【図６（ａ）】
2010531091.tif 000009
【図６（ｂ）】
2010531091.tif 000010
【図７】
2010531091.tif 000011
【図８】
2010531091.tif 000012
【図９】
2010531091.tif 000013
【図１０】
2010531091.tif 000014
【図１１（ａ）】
2010531091.tif 000015
【図１１（ｂ）】
2010531091.tif 000016
【図１２（ａ）】
2010531091.tif 000017
【図１２（ｂ）】
2010531091.tif 000018
【図１３（ａ）】
2010531091.tif 000019
【図１３（ｂ）】
2010531091.tif 000020
【国際調査報告】
2010531091.tif 000021
2010531091.tif 000022